(57)【特許請求の範囲】
【請求項１】
電磁石により開弁状態を保持する電磁弁と、開弁操作により直接または間接的に前記電磁弁を押し開くための開弁手段と、スライドおよび回転自在にして前記開弁操作および火力調節操作をするツマミと、このツマミに設けた操作軸と、前記スライドによりガス量を変化させる火力調節手段と、前記ツマミの回転操作を前記火力調節手段のスライド運動に伝達するためのギヤ機構とカム機構を有するレバーを備え、前記レバーのギヤを前記ツマミのギヤより遠ざける方向に付勢するバネ片を設けたガスコック装置。
【請求項２】
ツマミは操作パネルにほぼ垂直にスライドする前部外周を一段太くし、これより奥部外周を細くし、この細い奥部外周に取り扱い表示を施し、消火時には前記ツマミの細い奥部外周が操作パネルの内側に位置し、使用時に前記ツマミの細い奥部外周が操作パネルより飛び出て前記表示が現れるように構成した請求項１に記載のガスコック装置。
【発明の詳細な説明】
【０００１】
【発明の属する技術分野】
本発明はガスバーナーへのガス供給と点火および消火を司るガスコック装置に関するものである。
【０００２】
【従来の技術】
従来のガスコック装置における電磁弁の開弁手段の構造を図３及び図４に示す。図３はボタンに直結したロッドＡ３３で直接電磁弁３を押し開くように構成されており、また図４はバネＥ３５を用いた緩衝機構を有するロッドＢ３４により電磁弁３を押し開くように構成されている。
【０００３】
また図５に従来のガスコック装置における火力調節及び操作機構の構造を示しており、ツマミ３１を押し込みロックを解除するとツマミ３１が飛び出し点火し、ツマミ３１を回すと歯車３７を介してニードル３６が前後にスライドし、火力調節が行われるように構成されている。
【０００４】
【発明が解決しようとする課題】
しかしながら図３に示す従来のガスコック装置の開弁手段では、ロッドＡ３３で直接電磁弁３を押し開くため、衝撃により電磁弁３が破壊されるという課題を有しており、図４の場合は緩衝機構が複雑で高価である等の課題を有していた。
【０００５】
また図５に示す火力調節機構及び操作機構も複雑で高価であるという課題を有していた。
【０００６】
本発明は上記課題を解決するもので、点火操作時の火力が常に安全で確実なものとなるような新たな火力調節装置を提供する中で、その信頼性を確保することを目的としている。また、高年齢者向けに視認性を高めるなど使いやすく、安全なガスコック装置を提供することを目的としている。
【０００７】
【課題を解決するための手段】
本発明は、電磁石により開弁状態を保持する電磁弁と、開弁操作により直接または間接的に前記電磁弁を押し開くための開弁手段と、スライドおよび回転自在にして前記開弁操作および火力調節操作をするツマミと、このツマミに設けた操作軸と、前記スライドによりガス量を変化させる火力調節手段と、前記ツマミの回転操作を前記火力調節手段のスライド運動に伝達するためのギヤ機構とカム機構を有するレバーを備え、前記レバーのギヤを前記ツマミのギヤより遠ざける方向に付勢するバネ片を設けた構成としてあり、ギヤの摩擦力を軽減する事ができ動作の信頼性を確保することができる。
【０００８】
【発明の実施の形態】
請求項１に記載の発明は、電磁石により開弁状態を保持する電磁弁と、開弁操作により直接または間接的に前記電磁弁を押し開くための開弁手段と、スライドおよび回転自在にして前記開弁操作および火力調節操作をするツマミと、このツマミに設けた操作軸と、前記スライドによりガス量を変化させる火力調節手段と、前記ツマミの回転操作を前記火力調節手段のスライド運動に伝達するためのギヤ機構とカム機構を有するレバーを備え、前記レバーのギヤを前記ツマミのギヤより遠ざける方向に付勢するバネ片を設けた構成としてあり、ギヤの摩擦力を軽減することができる。
【０００９】
また請求項２に記載の発明は、請求項１に記載の発明において、ツマミは操作パネルにほぼ垂直にスライドする前部外周を一段太くし、これより奥部外周を細くし、この細い奥部外周に取り扱い表示を施し、消火時には前記ツマミの細い奥部外周が操作パネルの内側に位置し、使用時に前記ツマミの細い奥部外周が操作パネルより飛び出て前記表示が現れるように構成してあり、ツマミ外周縁が操作パネルとツマミとの隙間を隠し、また点火および消火状態に対応して表示が見え隠れするというものである。
【００１０】
以下、本発明の実施例について図面を参照して説明する。
【００１１】
（実施例１）
図１は本発明の実施例１のガスコック装置の断面図であり、図２（ａ）〜（ｄ）は火力調節を示す原理図である。
【００１２】
図１において、蓋部を含むコック本体１内に入口より順にガス通路が４ａ、４ｂ、４ｃと形成され、スライド閉子２はオリフィス８を介してバネ１１に付勢され、シャフト６を介して操作軸５を押すことにより軸方向にスライドし、その孔２ａがガス通路４ｃおよびオリフィス８の小孔群８ａと対向することによってガス通路４ｃの開閉と開度調節を行う。上記オリフィス８は平板状でバネ１１によりスライド閉子２に圧接された状態でコック本体１に保持固定されている。
【００１３】
一方、電磁弁３はバネ１２に付勢されて装着され、操作軸５に直結したボタン１８を押し込むと、操作軸５、シャフト６および閉子２を介して閉子２に圧入されたゴム質の緩衝片１５が電磁弁３を押し開き、ガス通路４ｂが開となるように構成されている。したがって、前記ボタン１８を押し込み、緩衝片１５が電磁弁３を押し開く際には、緩衝片１５の弾性により押し込み時の衝撃力を緩和することができる。またゴム質の緩衝片１５を閉子２に圧入する構造なので隙間がなくガスの漏れ等を防止できる。なお、上記電磁弁３は火炎の熱起電力等を受けて、バネ１２に抗して電気的に開弁保持されるようになっている。
【００１４】
他方、上記操作軸５は、非使用時はロック機構（図示せず）により消火位置で保持されており、点火時に押し込んでロックを解除するとシャフト６と連動して所定位置まで飛び出し、消火時に押し込むと元の位置でロックがかかるようになっている。そして火力調節は次のように行われるようになっている。すなわち、前記ボタン１８の外周に設けたツマミ２１は操作軸５を回転軸としギヤ２４によりレバー９と連動している。このツマミ２１は前部外周２５を一段太くし、奥部の細い外周部分２６には火力の表示をし、前部外周２５とは異なる配色が施してあり、消火状態では前部外周２５のみ操作パネル２２の前面に位置する。
【００１５】
そして、前記操作軸５に押し込まれるように構成したシャフト６はバネ１４によって操作軸５側に付勢し、消火状態および押し込み操作時には操作軸５によって動作が規制され、燃焼状態ではピン７を介してレバー９により軸方向の変位が規制されるようにしてある。そして上記レバー９はツマミ２１の回転によりギヤ２４、２３の噛み合いによりネジ２０を支点として回転し、図２の（ｂ）〜（ｄ）に示すようにガス通路４ｃの開時に、カム機構９ａによりシャフト６に装着されたピン７を介してシャフト６および閉子２を軸方向にスライドさせ、閉子２の孔２ａとオリフィス８の小孔群８ａとでガス流量の調節を司るようにしてある。
【００１６】
更に消火時にはボタン１８を介して操作軸５が押し込まれるとそれに連動してピン７とシャフト６が押し込まれ、今度は逆にピン７がレバー９のカム機構９ａの溝に沿ってレバー９を回転させながら図２の（ａ）に示す初期の位置に戻るようにしてある。この機構により、使用開始前にはレバー９は常に所定の角度で保持され、次の点火時には所定の火力とすることができる。また、上記レバー９と軸受け板１９との間には板バネ１０が設けてあり、レバー９のギヤ２３をツマミ２１のギヤ２４より遠ざける方向に付勢している。したがってギヤ部の摩擦力を軽減する事ができ動作性が向上する。
【００１７】
なお、アーム１７は操作軸５のロック機構を構成するほかに、操作軸５の動きに合わせてスイッチ１６をＯＮ・ＯＦＦする作用を有する。
【００１８】
一方前記ツマミ２１は、ガス通路閉の状態では一段太い前部外周２５のみ操作パネル２２の前面より前に出ており、表示を施した細い外周部分２６は操作パネル２２の内側に隠れた状態で、前部外周２５がツマミ２１と操作パネル２２の隙間を隠すと共に隙間から表示部分が見えるのを防止する役割を果たしている。
【００１９】
また、ガス通路閉の状態からボタン１８を押し込みロックを解除するとボタン１８とツマミ２１が一体で手前に飛び出しガス通路が開状態となり、操作パネル２２の前面より手前に表示部分の細い外周部分２６が現れる。この表示によりガス通路の開閉、火力の強弱が一目瞭然となる。ガス通路開の状態からボタン１８を押し込むとロックがかかり閉の状態になる。
【００２０】
尚上記実施例では閉子２に緩衝片１５を圧入したが、シャフト６等のロッドの途中にゴ
ム質の緩衝片１５を挿入するようにしても同様の作用を呈することはいうまでもない。
【００２１】
【発明の効果】
本発明の請求項１に係るガスコック装置によれば、次のような有利な効果が得られる。
【００２２】
（１）構造が簡単で安価なガスコック装置を提供すると共に、スライド式であるから省スペース化も図れる。
【００２３】
（２）レバーのギヤをツマミより遠ざける方向にバネを装着しているのでギヤ部の摩擦力を軽減し、ツマミの摩耗を防止できる。
【００２４】
また請求項２に係るガスコック装置によれば、次のような有利な効果が得られる。
【００２５】
（１）外周の縁部でパネルとの隙間を隠すので、外観上優位である。
【００２６】
（２）外周の縁部より一段細い部分に印刷表示を施すので、操作時に指が触れることが少なく汚れも少ない。
【００２７】
（３）不使用時は外周縁部により表示部は見えなくなり、使用時には飛び出て表示部が現れるため、使用状態が一目瞭然で使い勝手や安全面においても優位である。
【図面の簡単な説明】
【図１】  本発明の実施例１のガスコック装置の断面図
【図２】  （ａ）同ガスコック装置の消火状態における火力調節の原理図
（ｂ）同ガスコック装置の強火状態における火力調節の原理図
（ｃ）同ガスコック装置の中火状態における火力調節の原理図
（ｄ）同ガスコック装置の弱火状態における火力調節の原理図
【図３】  従来のガスコック装置を示す断面図
【図４】  従来の他のガスコック装置を示す断面図
【図５】  従来の更に他のガスコック装置を示す断面図
【符号の説明】
１  コック本体
２  閉子（開便・火力調節手段）
３  電磁弁
４ａ、４ｂ、４ｃ  ガス通路
５  操作軸（開弁手段）
６  シャフト（開弁手段）
７  ピン
８  オリフィス
９  レバー
９ａ  カム機構
１０  板バネ
１８  ボタン
２１  ツマミ
２２  操作パネル
２３、２４  ギヤ
２５  前部外周
２６  細い外周部分
【図１】
0003837796.tif 000002
【図２】
0003837796.tif 000003
【図３】
0003837796.tif 000004
【図４】
0003837796.tif 000005
【図５】
0003837796.tif 000006